(57)【要約】【課題】  自動車走行中における方向指示器の消し忘れの可能性の有無を容易に確認できるようにした方向指示器消し忘れ確認通知システムを提供する。【解決手段】  自動車が走行中であるという条件１と方向指示器を出しているという条件２の両方の条件が重なったときタイマーのスイッチが入り、そのまま予め定められた一定時間経過後の場合には、方向指示器が出ていることが異常、即ち、方向指示器消し忘れの可能性が高いと判断し前記情報を運転者に警報手段で知らせることができ、前記一定時間経過途中に、自動車が停車するという条件３、方向指示器を戻すという条件４、ハンドル回動により方向指示器が戻るという条件５の内、どれか１つの条件が合致、または、１つ以上の条件が重なったときタイマーのスイッチが切れ、前記作動の繰り返しにより運転者に方向指示器消し忘れの可能性の有無を喚起する。【選択図】図１
2009012737.tif 000002
【特許請求の範囲】
【請求項１】
自動車において方向指示器を使用する際、自動車が走行中であるという条件１と方向指示器を出しているという条件２の両方の条件が重なったときタイマーのスイッチが入り、そのまま予め定められた一定時間経過後の場合には、方向指示器が出ていることが異常、即ち、方向指示器消し忘れの可能性が高いと判断し前記情報を運転者に警報手段で知らせることができ、前記一定時間経過途中に、自動車が停車するという条件３、方向指示器を戻すという条件４、ハンドル回動により方向指示器が戻るという条件５の内、どれか１つの条件が合致、または、１つ以上の条件が重なったときタイマーのスイッチが切れ、前記作動の繰り返しにより、運転者に方向指示器消し忘れの可能性の有無を喚起する方向指示器消し忘れ確認通知システム。
【請求項２】
警報手段が音声発生装置である請求項１記載の方向指示器消し忘れ確認通知システム。
【請求項３】
警報手段が警報音発生装置である請求項１記載の方向指示器消し忘れ確認通知システム。
【請求項４】
警報手段が経過時間により作動音を大きくまたは徐々に大きく出るようにした方向指示器である請求項１記載の方向指示器消し忘れ確認通知システム。
【請求項５】
警報手段が電光掲示板、または、モニターである請求項１記載の方向指示器消し忘れ確認通知システム。
【請求項６】
警報手段がハンドル付帯振動装置である請求項１記載の方向指示器消し忘れ確認通知システム。
【請求項７】
請求項２、３、４、５、６記載の警報手段を２種類以上組み合わせた請求項１記載の方向指示器消し忘れ確認通知システム。
【請求項８】
予め定められた一定時間が、車速により変わる請求項７記載の方向指示器消し忘れ確認通知システム。
【発明の詳細な説明】
【技術分野】
【０００１】  自動車において方向指示器を使用する際、自動車が走行中であるという条件１と方向指示器を出しているという条件２の両方の条件が重なったときタイマーのスイッチが入り、そのまま予め定められた一定時間経過後の場合には、方向指示器が出ていることが異常、即ち、方向指示器消し忘れの可能性が高いと判断し前記情報を運転者に警報手段で知らせることができ、前記一定時間経過途中に、自動車が停車するという条件３、方向指示器を戻すという条件４、ハンドル回動により方向指示器が戻るという条件５の内、どれか１つの条件が合致、または、１つ以上の条件が重なったときタイマーのスイッチが切れ、前記作動の繰り返しにより、運転者に方向指示器の消し忘れの可能性の有無を喚起する方向指示器消し忘れ確認通知システムに関する。
【背景技術】
【０００２】  従来の方向指示器消し忘れ防止方法および装置には以下のようなものがある。
（１）特開平１１−１６５５９０では、サイドミラーにウィンカー（方向指示器）点滅装置を付帯させ、ウィンカー作動時にその作動状態の視認度を向上させることにより運転者に喚起させる。
（２）特開２００７−１３７３９８では、ウィンカー作動時にタイマースイッチが入り、一定時間後、自動的にウィンカーが切れる。【０００３】  （１）において、ウィンカー右動の際は、運転手席側のサイドミラー付帯のウィンカー点滅装置が点滅するので、運転者は容易にその作動、非作動状態が確認できる。しかし、ウィンカー左動の際は、運転手席側からは見えにくい助手席側のサイドミラー付帯のウィンカー点滅装置が点滅することになり、その視認度が右動の場合と比べ若干劣る。更に、一般的にありがちな前方を注視しての運転の場合、その傾向が顕著となる。【０００４】  （２）において、「ウィンカー作動時にタイマースイッチが入り、一定時間経過後に自動的にウィンカーが切れる」というものだが、ただ単純に一定時間後に強制的にウィンカーが切れ、ウィンカー作動目的（右左折または車線変更）が真に解除されない場合、例えば右折時に長時間停車待機している場合であっても、一定時間経過後には強制的にウィンカーが切れてしまう。つまり、ウィンカーが点滅してしない状態で右折待機状態に陥ってしまい、運転者がそれに気付かない場合、大変危険である。【０００５】  その他、二輪車において、方向指示器作動目的の解除を停車時車体が傾くとスイッチが入る傾斜作動スイッチで行うものもあるが、自動車には応用できない。
【発明の開示】
【発明が解決しようとする課題】
【０００６】  本発明は、前記背景技術に列記した従来型の方向指示器消し忘れ防止方法および装置と比較し、より運転者に対する方向指示器消し忘れ可能性の有無の喚起度を向上させたものである。前記有用性（方向指示器消し忘れの可能性の有無の喚起）の乏しい従来型の単純なタイマー作動によるものではなく、実情の自動車の運転状態に即し、タイマー作動の入り切りに条件を設け、その有用性（方向指示器消し忘れ通知）を向上させた。
【課題を解決するための手段】
【０００７】  請求項１の発明は、自動車において方向指示器を使用する際、自動車が走行中であるという条件１と方向指示器を出しているという条件２の両方の条件が重なったときタイマーのスイッチが入り、そのまま予め定められた一定時間経過後の場合には、方向指示器が出ていることが異常、即ち、方向指示器消し忘れの可能性が高いと判断し前記情報を運転者に警報手段で知らせることができ、前記一定時間経過途中に、自動車が停車するという条件３、方向指示器を戻すという条件４、ハンドル回動により方向指示器が戻るという条件５の内、どれか１つの条件が合致、または、１つ以上の条件が重なったときタイマーのスイッチが切れ、前記作動の繰り返しにより運転者に方向指示器の消し忘れの可能性の有無を喚起する方向指示器消し忘れ通知システムである。
請求項２の発明は、警報手段が音声発生装置である請求項１記載の方向指示器消し忘れ通知システムである。
請求項３の発明は、警報手段が警報音発生装置である請求項１記載の方向指示器消し忘れ確認通知システムである。
請求項４の発明は、警報手段が経過時間により作動音を大きくまたは徐々に大きく出るようにした方向指示器である請求項１記載の方向指示器消し忘れ確認通知システムである。
請求項５の発明は、警報手段が電光掲示板、または、モニターである請求項１記載の方向指示器消し忘れ確認通知システムである。
請求項６の発明は、警報手段がハンドル付帯振動装置である請求項１記載の方向指示器消し忘れ確認通知システムである。
請求項７の発明は、請求項２、３、４、５、６記載の警報手段を２種類以上組み合わせた請求項１記載の方向指示器消し忘れ確認通知システムである。
請求項８の発明は、予め定められた一定時間が、車速により変わる請求項７記載の方向指示器消し忘れ確認通知システムである。
【発明の効果】
【０００８】  本発明によれば、従来のタイマー作動型の方向指示器の消し忘れ確認度を、タイマー入り切りの条件を実際の自動車の運転状態および交通事情に即したものにし、格段に向上させた。自動車において方向指示器を使用する際、自動車が走行中であるという条件１と方向指示器を出しているという条件２の両方の条件が重なったときタイマーのスイッチが入る。そのまま予め定められた一定時間経過後の場合には、方向指示器が出ていることが異常、即ち、方向指示器消し忘れの可能性が高いと判断し前記情報を運転者に警報手段で知らせることができ、前記一定時間経過途中に、自動車が停車するという条件３、方向指示器を戻すという条件４、ハンドル回動により方向指示器が戻るという条件５の内、どれか１つの条件が合致、または、１つ以上の条件が重なったとき、タイマーのスイッチが切れ前記作動の繰り返しにより、運転者に方向指示器の消し忘れの可能性の有無を喚起することができる。【０００９】  このように、システムを合理的且つ簡易なものとし、誰でも通上の運転状態で容易に方向指示器の消し忘れの可能性の有無を確認でき、その有用性は極めて大きい。
【発明を実施するための最良の形態】
【実施例】
【００１０】  次に、本発明の方向指示器消し忘れ通知システムの実施態様を説明する。
図１は、本発明の方向指示器消し忘れ確認通知システムのメインルーチンを示すフローチャートである。【００１１】  図１において、警報手段の作動タイマーのスイッチが入るのは、自動車が走行中であるという条件１と方向指示器を出しているという条件２の両方の条件が重なったときとし、これが本発明の最大の特徴である。条件１のシステム上の確認は、速度計または積算計にて行う。条件２は当然だが、条件１を加えた理由は、交差点での右左折待機停車時を想定したものである。従来型の場合、一定時間経過後には右左折待機停車の有無に関わらず強制的に方向指示器がキャンセル状態になってしまい、運転者がそれに気付づかない場合、特に右折時には極めて危険な状態に陥ることになってしまう。本発明では、自動車走行中にのみタイマーが作動するようにした。したがって、右左折待機停車、つまり、自動車が停車中にはタイマーのスイッチは入らない。【００１２】  タイマーのスイッチが入り、そのまま予め定められた一定時間経過後の場合には、方向指示器が出ていることが異常、即ち、方向指示器消し忘れの可能性が高いと判断し前記情報を運転者に警報手段で知らせる。例えば、右左折待機停車時を除いた自動車の通常走行時に、方向指示器を長時間（例えば２０秒以上）出し放しにすることは極めて希であり、そのほとんどは方向指示器消し（戻し）忘れである。【００１３】  警報手段には、「ウィンカーを確認してください」等という音声を発生する音声発生装置１、「ピーピー、ブーブー」等という警報音を発生する警報音発生装置２、方向指示器の作動音を大きくまたは徐々に大きくする３、警告記号、文字等を表示する電光掲示板、または、モニター４、ハンドル全体が振動するハンドル付帯振動装置５がある。前記警報手段は、単独使用でも、また、その通知度をより向上させるために複数の組み合わせ使用でも良い。【００１４】  尚、前記一定時間経過途中に、自動車が停車するという条件３、方向指示器を戻すという条件４、ハンドル回動により方向指示器が戻るという条件５の内、どれか１つの条件が合致、または、１つ以上の条件が重なったときタイマーのスイッチが切れる。前記作動の繰り返しにより、運転者に方向指示器消し忘れの可能性の有無を喚起する。【００１５】  また、予め定められた一定時間を車速によって変えることにより、その効果をより向上させることができる。例えば、車速が２０〜５０ｋｍの一般道路走行時と７０〜１００ｋｍの高速道路走行時における方向指示器の継続入り時間（点滅時間）を比較すると、一般道路走行時より高速道路走行時の方が短い傾向にある。前記実情に即し、前記一定時間の時間を車速に反比例し短縮させることで、より有用性が向上する。
【図面の簡単な説明】
【図１】  本発明の方向指示器消し忘れ通知システムのメインルーチンを示すフローチャートである。
【符号の説明】
１  音声発生装置
２  警報音発生装置
３  経過時間により方向指示器の作動音を（徐々に）大きく出るようにする
４  電光掲示板、または、モニター
５  ハンドル付帯振動装置
【図１】
2009012737.tif 000003